(57)【要約】【課題】ストラップレスブラを提供する。【解決手段】ストラップレスブラは少なくとも一つのブラジャー本体およびブラジャー本体の内側に配置される粘着層から構成される。ブラジャー本体は胸支持部、第一固定部および第二固定部を有する。胸支持部は人体の左胸または右胸に被さる。第一固定部は胸支持部の一側から伸びて形成され、人体躯幹の左側または右側の皮膚に粘着する。第二固定部は胸支持部の他端から伸びて形成され、少なくとも一部分が第一固定部と反対側の胸の下方即ち腹部に粘着する。第二固定部は位置が両胸の間でないため、ネックラインの極めて深い服装の下にストラップレスブラを付けて着用する際、ストラップレスブラは胸の谷間を遮蔽してネックラインの極めて深い服装に露出することがなく、緩くなって落下することが起こりにくいだけでなく、バストを寄せて長時間のバストアップ効果および豊胸効果を維持することができる。【選択図】  図１
2020056146.tif 000002
【特許請求の範囲】
【請求項１】
ブラジャー本体および粘着層から構成され、
前記ブラジャー本体は、胸支持部、第一固定部および第二固定部を有し、前記胸支持部は人体の左胸または右胸に被さり、前記第一固定部は前記胸支持部の一側から伸びて形成され、前記第二固定部は前記胸支持部の他端から伸びて形成され、
前記粘着層は、前記ブラジャー本体の内側に配置され、
前記胸支持部が人体の左胸に被さる際、前記第一固定部は一端が人体躯幹の左側に粘着し、前記第二固定部は人体の右胸の下方に位置し、一端が人体躯幹の右側に粘着し、前記胸支持部は右辺縁に前記第二固定部と連結される凹状円弧部位を有し、
前記胸支持部が人体の右胸に被さる際、前記第一固定部は一端が人体躯幹の右側に粘着し、前記第二固定部は人体の左胸の下方に位置し、一端が人体躯幹の左側に粘着し、前記胸支持部は左辺縁に前記第二固定部と連結される凹状円弧部位を有することを特徴とするストラップレスブラ。
【請求項２】
前記胸支持部は最下端が仮想水平軸線に沿って揃い、前記第一固定部は一端が前記仮想水平軸線の上方に位置し、前記第二固定部は一端が前記仮想水平軸線の下方に位置することを特徴とする請求項１に記載のストラップレスブラ。
【請求項３】
前記胸支持部は上方に彎曲部位を有し、前記彎曲部位は下方から上方かつ内側へ徐々に彎曲して一定の円弧度を成すことを特徴とする請求項１に記載のストラップレスブラ。
【請求項４】
前記胸支持部は中央にパッド入り部位を有し、前記パッド入り部位は最も厚い箇所の厚さが７ｍｍから１６ｍｍであり、前記パッド入り部位は前記最も厚い箇所から上下および左右に徐々に薄くなることを特徴とする請求項１に記載のストラップレスブラ。
【請求項５】
前記パッド入り部位はスリットを有し、前記スリットは中心になり、前記パッド入り部位を左半部および右半部に分けられることを特徴とする請求項４に記載のストラップレスブラ。
【請求項６】
前記ブラジャー本体は前記パッド入り部位以外の部位の厚さが０．６ｍｍから２．５ｍｍであることを特徴とする請求項４に記載のストラップレスブラ。
【請求項７】
前記ブラジャー本体の全体長さは５５０ｍｍから５９４ｍｍであり、前記第一固定部の幅は４６ｍｍから８４ｍｍであり、前記第二固定部の幅は４５ｍｍから８６ｍｍであり、前記胸支持部の幅は５６ｍｍから１４１ｍｍであり、前記パッド入り部位は長さが１３０ｍｍから１４０ｍｍであり、幅が６５ｍｍから８６ｍｍであることを特徴とする請求項４に記載のストラップレスブラ。
【請求項８】
前記粘着層は前記第一固定部の一端、前記第二固定部の一端および前記胸支持部に配置されることを特徴とする請求項１に記載のストラップレスブラ。
【請求項９】
前記第一固定部または前記第二固定部は人体躯幹の後側まで伸び、人体躯幹の後側に粘着することを特徴とする請求項１に記載のストラップレスブラ。
【請求項１０】
ブラジャー本体右側、ブラジャー本体左側および二つの粘着層から構成され、
前記ブラジャー本体右側は、胸支持部、第一固定部および第二固定部を有し、前記胸支持部は人体の右胸に被さり、前記第一固定部は前記胸支持部の一側から伸びて形成され、一端が人体躯幹の右側に粘着し、前記第二固定部は前記胸支持部の他端から伸びて形成され、人体の左胸の下方に位置し、一端が人体躯幹の左側に粘着し、前記胸支持部は左辺縁に前記第二固定部と連結される凹状円弧部位を有し、
前記ブラジャー本体左側は、胸支持部、第一固定部および第二固定部を有し、前記胸支持部は人体の左胸に被さり、前記第一固定部は前記胸支持部の一側から伸びて形成され、一端が人体躯幹の左側に粘着し、前記第二固定部は前記胸支持部の他端から伸びて形成され、人体の右胸の下方に位置し、一端が人体躯幹の右側に粘着し、前記胸支持部は右辺縁に前記第二固定部と連結される凹状円弧部位を有し、
二つの前記粘着層は、それぞれ前記ブラジャー本体右側および前記ブラジャー本体左側の内側に配置され、
前記ブラジャー本体右側の前記第二固定部と前記ブラジャー本体左側の前記第二固定部の一部分は交差して重なってＸ字型のストラップレスブラを構成し、
二つの前記胸支持部の前記凹状円弧部位は相互に一定の距離を置いて窪み部を形成することを特徴とするストラップレスブラ。
【請求項１１】
二つの前記胸支持部は最下端が仮想水平軸線に沿って揃い、二つの前記第一固定部は一端が前記仮想水平軸線の上方に位置し、二つの前記第二固定部は一端が前記仮想水平軸線の下方に位置することを特徴とする請求項１０に記載のストラップレスブラ。
【請求項１２】
二つの前記胸支持部はそれぞれ彎曲部位を有し、前記彎曲部位は下方から上方かつ内側へ徐々に彎曲して一定の円弧度を成すことを特徴とする請求項１０に記載のストラップレスブラ。
【請求項１３】
二つの前記胸支持部はそれぞれパッド入り部位を有し、前記パッド入り部位は最も厚い箇所の厚さが７ｍｍから１６ｍｍであり、前記パッド入り部位は前記最も厚い箇所から上下および左右に徐々に薄くなることを特徴とする請求項１０に記載のストラップレスブラ。
【請求項１４】
二つの前記パッド入り部位はそれぞれスリットを有し、前記スリットは中心になり、前記パッド入り部位を左半部および右半部に分けられることを特徴とする請求項１３に記載のストラップレスブラ。
【請求項１５】
前記ブラジャー本体右側は前記パッド入り部位以外の部位の厚さが０．６ｍｍから２．５ｍｍであり、前記ブラジャー本体左側は前記パッド入り部位以外の部位の厚さが０．６ｍｍから２．５ｍｍであることを特徴とする請求項１３に記載のストラップレスブラ。
【請求項１６】
前記ブラジャー本体右側および前記ブラジャー本体左側の全体長さは５５０ｍｍから５９４ｍｍであり、前記第一固定部の幅は４６ｍｍから８４ｍｍであり、前記第二固定部の幅は４５ｍｍから８６ｍｍであり、前記胸支持部の幅は５６ｍｍから１４１ｍｍであり、前記パッド入り部位は長さが１３０ｍｍから１４０ｍｍであり、幅が６５ｍｍから８６ｍｍであることを特徴とする請求項１３に記載のストラップレスブラ。
【請求項１７】
一つの前記粘着層は前記ブラジャー本体右側の前記第一固定部の一端、前記第二固定部の一端および前記胸支持部に配置され、一つの前記粘着層は前記ブラジャー本体左側の前記第一固定部の一端、前記第二固定部の一端および前記胸支持部に配置されることを特徴とする請求項１０に記載のストラップレスブラ。
【請求項１８】
前記ブラジャー本体右側の前記第一固定部および前記ブラジャー本体左側の前記第一固定部または前記ブラジャー本体右側の前記第二固定部および前記ブラジャー本体左側の前記第二固定部は人体躯幹の後側まで伸び、人体躯幹の後側に粘着することを特徴とする請求項１０に記載のストラップレスブラ。
【請求項１９】
前記ブラジャー本体右側および前記ブラジャー本体左側は一体成型であることを特徴とする請求項１０に記載のストラップレスブラ。
【発明の詳細な説明】
【技術分野】
【０００１】
本発明は、女性用インナーに関し、詳しくは肩紐を使わずバストを寄せる効果があるストラップレスブラに関するものである。
【背景技術】
【０００２】
従来の女性用インナーは肩紐およびベルトで体の上半身に固定され、乳房を保護し、バストの形状を整えることが役割である。ドレスおよび肩または背中を露出させる服装を着用する際、従来のインナーは肩紐およびベルトが服装に露出して美観を損なうため、上記のような服装の下に着けて使用することが難しい。それに対してストラップレスブラが開発された。ストラップレスブラは二つのタイプに分けられる。一つは二つの分離できるシリコンカップおよびホックから構成される。二つのシリコンカップは両側の胸部を包み込む。ホックは二つのシリコンカップの間に配置されて二つのシリコンカップを引っ張ってバストを寄せる効果を生じる。もう一つ、即ちシングルの一体成型ストラップレスブラは両側が胸部に粘着してバストを寄せる効果がある。上述したストラップレスブラは肩紐およびベルトを取り付ける必要がないため、ドレスおよび肩または背中を露出させる服装の下に着用されることが多い。
【０００３】
しかしながら、ネックラインの極めて深い（即ち深いＶネック）服装を着用する際、シングルの一体成型ストラップレスブラの中間部位またはカップ分離式ストラップレスブラの中間のホックは露出し、全体の美観を損なうため、上述したストラップレスブラの代わりに胸シールを使い、胸部の周りにテープを貼ってバストを寄せる方式しか選択できない。上述した方式はインナーの露出を心配することがないが、テープが皮膚に長時間粘着すると、異物感があって使い心地が悪くなるだけでなく、敏感肌の人に過敏性反応が起こる可能性がある。それが原因でテープを使用しないならばバストを寄せる効果を失い、深いＶネックラインの服装を綺麗に着用できない。
【発明の概要】
【発明が解決しようとする課題】
【０００４】
本発明は、外部に露出せずネックラインの深い服装に対応できるだけでなく、バストを寄せてバストアップ効果を生じることができるストラップレスブラを提供することを主な目的とする。
【課題を解決するための手段】
【０００５】
上述した課題を解決するため、ストラップレスブラはブラジャー本体および粘着層から構成される。ブラジャー本体は胸支持部、第一固定部および第二固定部を有する。胸支持部は人体の左胸または右胸に被さる。第一固定部は胸支持部の一側から伸びて形成される。第二固定部は胸支持部の他端から伸びて形成される。粘着層はブラジャー本体の内側に配置される。胸支持部が人体の左胸に被さる際、第一固定部は一端が人体躯幹の左側に粘着する。第二固定部は人体の右胸の下方に位置し、一端が人体躯幹の右側に粘着する。胸支持部は右辺縁に第二固定部と連結される凹状円弧部位を有する。胸支持部が人体の右胸に被さる際、第一固定部は一端が人体躯幹の右側に粘着する。第二固定部は人体の左胸の下方に位置し、一端が人体躯幹の左側に粘着する。胸支持部は左辺縁に第二固定部と連結される凹状円弧部位を有する。
【０００６】
上述した課題を解決するため、もう一つのストラップレスブラはブラジャー本体右側、ブラジャー本体左側および二つの粘着層から構成される。ブラジャー本体右側は胸支持部、第一固定部および第二固定部を有する。胸支持部は人体の右胸に被さる。第一固定部は胸支持部の一側から伸びて形成され、一端が人体躯幹の右側に粘着する。第二固定部は胸支持部の他端から伸びて形成され、人体の左胸の下方に位置し、一端が人体躯幹の左側に粘着する。胸支持部は左辺縁に第二固定部と連結される凹状円弧部位を有する。ブラジャー本体左側は胸支持部、第一固定部
および第二固定部を有する。胸支持部は人体の左胸に被さる。第一固定部は胸支持部の一側から伸びて形成され、一端が人体躯幹の左側に粘着する。第二固定部は胸支持部の他端から伸びて形成され、人体の右胸の下方に位置し、一端が人体躯幹の右側に粘着する。胸支持部は右辺縁に第二固定部と連結される凹状円弧部位を有する。二つの粘着層はそれぞれブラジャー本体右側およびブラジャー本体左側の内側に配置される。ブラジャー本体右側の第二固定部とブラジャー本体左側の第二固定部の一部分は交差して重なるため、ストラップレスブラはＸ字型になり、二つの胸支持部の凹状円弧部位の間に一定の距離を置いて窪み部を形成する。
【０００７】
ストラップレスブラを着用する際、第二固定部は両胸の間でなく右胸または左胸の下方に位置するため、胸の谷間を遮蔽することがない。深いＶネックラインの服装の下にストラップレスブラを付けて着用する際、ストラップレスブラは外部に露出することがない。一方、ストラップレスブラを着用する際、第二固定部は外力によって一つの胸部を別の一つの胸部へ引っ張って別の一つの胸部の下方に粘着し、かつ従来の構造より掴み力の範囲が比較的大きいため、ストラップレスブラはバストを寄せる効果が良好であるだけでなく、緩くなって落下することが起りにくい。従って、深いＶネックラインの服装を着用する際、長時間のバストアップ効果を維持することができる。
【図面の簡単な説明】
【０００８】
【図１】本発明の一実施形態によるストラップレスブラを示す背面図である。
【図２】本発明の一実施形態によるストラップレスブラを示す分解図である。
【図３】本発明の一実施形態によるストラップレスブラの着用状態を示す正面図である。
【図４】本発明の一実施形態においてのブラジャー本体右側を示す背面図である。
【図５】本発明の一実施形態においてのブラジャー本体右側の厚さを示す平面図である。
【図６】本発明の一実施形態においてのブラジャー本体右側を示す側面図である。
【図７】本発明の一実施形態においてのブラジャー本体右側の寸法を示す背面図である。
【図８】本発明の一実施形態においてのブラジャー本体左側を示す背面図である。
【図９】本発明の一実施形態においてのブラジャー本体右側の厚さを示す別の平面図である。
【図１０】本発明の一実施形態においてのブラジャー本体右側の寸法を示す別の背面図である。
【図１１】本発明の別の一実施形態によるストラップレスブラの着用状態を示す背面図である。
【図１２】本発明の別の一実施形態によるストラップレスブラを示す背面図である。
【発明を実施するための形態】
【０００９】
（一実施形態）
図１から図３に示すように、本発明の一実施形態によるストラップレスブラ１はブラジャー本体右側１０、ブラジャー本体左側２０および二つの粘着層３０から構成される。二つの粘着層３０はそれぞれブラジャー本体右側１０およびブラジャー本体左側２０の内側全体に配置され、ブラジャー本体右側１０またはブラジャー本体左側２０を人体の皮膚に付着させるため、外力が生じない限りブラジャー本体右側１０またはブラジャー本体左側２０を変位させるか落下させることが起こりにくい。ブラジャー本体右側１０およびブラジャー本体左側２０は材質がシリコンである。本実施形態において、ストラップレスブラ１は胸がＣカップまたはＤカップまたはそれ以下でＭサイズの服を着用する着用者に適用し、後側、即ち内側が着用者の皮膚に密着する一側である。
【００１０】
本発明の詳細な構造及び使用方法について、説明の便をはかるために人体躯幹は左右および前後対称的に分けられる。つまり、人体躯幹は左半部が左側と定義され、右半部が右側と定義され、正面が前側と定義され、背面が後側と定義される。
【００１１】
図４に示すように、ブラジャー本体右側１０は胸支持部１２、第一固定部１４および第二固定部１６を有する。胸支持部１２は人体の右胸に被さる。第一固定部１４は胸支持部１２の右側から右へ伸びて形成され、一端が粘着層３０によって人体躯幹の右側の皮膚に粘着する。第二固定部１６は胸支持部１２の左側から左へ伸びて形成され、少なくとも一部分が人体の左胸の下方の腹部に位置し、一端が粘着層３０によって人体躯幹の左側の皮膚に粘着する。胸支持部１２は凹状円弧部位１２１、彎曲部位１２３およびパッド入り部位１２５を有する。凹状円弧部位１２１は胸支持部１２の左辺縁に位置し、第二固定部１６と連結される。彎曲部位１２３は胸支持部１２の上方に位置する。パッド入り部位１２５は胸支持部１２の中央に位置する。図５に示すように、彎曲部位１２３は下方から上方かつ内側へ徐々に彎曲して一定の円弧度を成し、厚さＴ０が０．８ｍｍから１ｍｍである。パッド入り部位１２５はブラジャー本体右側１０のあらゆる部位より厚く、最も厚い箇所Ｔの厚さＴ１が７ｍｍから１６ｍｍである。特に厚さＴ１が７．５ｍｍであれば最も好ましい。パッド入り部位１２５は最も厚い箇所Ｔの位置から上下および左右へ徐々に薄くなり、彎曲部位１２３と連結される箇所の厚さＴ２が２ｍｍから４．５ｍｍである。特に厚さＴ２が４ｍｍであれば最も好ましい。ブラジャー本体右側１０はパッド入り部位１２５以外の部位の厚さＴ３が０．６ｍｍから２．５ｍｍである。特に厚さＴ３が２ｍｍであれば最も好ましい。ブラジャー本体右側１０はパッド入り部位１２５の最も厚い箇所Ｔから上方の彎曲部位１２３の頂部へ広がって収容空間Ｓを形成する。図４および図６に示すように、パッド入り部位１２５は縦方向のスリット１２６を有する。パッド入り部位１２５は中心になるスリット１２６によって左半部および右半部に分けられる。
【００１２】
図７は本発明の一実施形態においてのブラジャー本体右側１０の寸法を示す背面図である。図７に示すように、ブラジャー本体右側１０の全体の長さＬ１は５５０ｍｍから５６０ｍｍであり、５５９．１ｍｍが最も好ましい。第一固定部１４の幅Ｗ１は４６ｍｍから７４ｍｍであり、５９．１ｍｍが最も好ましい。第二固定部１６の幅Ｗ２は４５ｍｍから７９ｍｍであり、７６．８ｍｍが最も好ましい。胸支持部１２の幅Ｗ３は５６ｍｍから１３１ｍｍであり、１３０．３ｍｍが最も好ましい。パッド入り部位１２５の長さＬ２は１３０ｍｍから１４０ｍｍであり、１３７．９ｍｍが最も好ましい。パッド入り部位１２５の幅Ｗ４は６５ｍｍから８６ｍｍであり、７２ｍｍが最も好ましい。
【００１３】
図８に示すように、ブラジャー本体左側２０とブラジャー本体右側１０は左右対称的に配置され、構造、寸法または厚さがほぼ同じである。詳しく言えば、ブラジャー本体左側２０は胸支持部２２、第一固定部２４および第二固定部２６を有する。胸支持部２２は人体の左胸に被さる。第一固定部２４は胸支持部２２の左側から左へ伸びて形成され、一端が粘着層３０によって人体躯幹の左側の皮膚に粘着する。第二固定部２６は胸支持部２２の右側から右へ伸びて形成され、少なくとも一部分が人体の右胸の下方の腹部に位置し、一端が粘着層３０によって人体躯幹の右側の皮膚に粘着する。胸支持部２２は凹状円弧部位２２１、彎曲部位２２３およびパッド入り部位２２５を有する。凹状円弧部位２２１は胸支持部２２の右辺縁に位置し、第二固定部２６と連結される。彎曲部位２２３は胸支持部２２の上方に位置する。パッド入り部位２２５は胸支持部２２の中央に位置する。ブラジャー本体左側２０はパッド入り部位２２５の最も厚い箇所Ｔから上方の彎曲部位２２３の頂部へ広がって収容空間Ｓを形成する。パッド入り部位２２５はスリット２２６を有する。図１に示すように、二つの胸支持部１２、２２は凹状円弧部位１２１、２２１の間に一定の距離を置いて窪み部４０を形成する。二つの胸支持部１２、２２は最下端が仮想水平軸線Ｌに沿って揃う。二つの第一固定部１４、２４は一端が仮想水平軸線Ｌの上方に位置する。二つの第二固定部１６、２６は一端が仮想水平軸線Ｌの下方に位置するが、これに限定されない。別の実施形態において、二つの第二固定部１６、２６は一端が仮想水平軸線Ｌの上方に位置してもよい。
【００１４】
ストラップレスブラ１を着用する際、ブラジャー本体右側１０およびブラジャー本体左側２０どちらを先に付けるかは特に決まってない。以下、ブラジャー本体右側１０を先に付ける方式を例として説明を進める。まずブラジャー本体右側１０の胸支持部１２を右胸に粘着させて第一固定部１４を人体の右側の皮膚に粘着させれば、第一固定部１４が右脇下に位置する。続いて、第二固定部１６を左下方向へ斜めに引っ張って右胸を左胸の方向に寄せ、そののち第二固定部１６を左胸の下方の腹部に粘着させる。このとき右胸はブラジャー本体右側１０の収容空間Ｓに位置する。続いて、ブラジャー本体左側２０の胸支持部２２を左胸に粘着させて第一固定部２４を人体の左側の皮膚に粘着させれば、第一固定部２４が左脇下に位置する。続いて、第二固定部２６を右下方向へ斜めに引っ張って左胸を右胸の方向に寄せ、そののち第二固定部２６を右胸の下方の腹部に粘着させる。このとき左胸はブラジャー本体左側２０の収容空間Ｓに位置する。図１に示すように、ブラジャー本体左側２０の第二固定部２６とブラジャー本体右側１０の第二固定部１６は一部分が交差して重なるため、ストラップレスブラ１はＸ字型になる。比較的好ましい場合、ストラップレスブラ１を着用する前に胸部を持ち上げてパッド入り部位１２５、２２５を胸下に位置させる。続いて、胸支持部１２、２２を胸部に粘着させて彎曲部位１２３、２２３を乳首および一部分の胸上に被せ、パッド入り部位１２５、２２５で胸下を押し寄せてバストをアップさせれば胸部にバストアップおよび豊胸効果を生じることができる。一方、彎曲部位１２３、２２３は内側に彎曲する状態であるため、着用者の胸の曲線に沿って胸部に密着して一定の掴み力を生じることによってストラップレスブラ１の全体の安定性を向上させ、着用者の動きに伴ってストラップレスブラ１が胸上から逸脱したり滑って落下したりする可能性を減少させることができる。二つの胸支持部１２、２２を胸部に付ける際、パッド入り部位１２５、２２５のスリット１２６、２２６の構造によって、パッド入り部位１２５、２２５の左半部および右半部はそれぞれパッド入り部位１２５、２２５の中心になるスリット１２６、２２６に向かって曲線を形成するため、パッド入り部位１２５、２２５は胸部に平坦に粘着できる。胸支持部１２、２２および第一固定部１４、２４を付ける順番が着用者の習慣によって決まればよい。つまり、先に第一固定部１４、２４を付け、そののち胸支持部１２、２２を付けてもよい。
【００１５】
上述した構造特徴により、ブラジャー本体右側１０およびブラジャー本体左側２０は着用者の右胸および左胸を押し寄せて胸の谷間を形成し、窪み部４０に露出させることができる。図３に示すように、二つの第二固定部１６、２６は胸部の下方の腹部に粘着するため、従来の構造に優れただけでなく、下記の長所を有する。一つは二つの第二固定部１６、２６の位置が両胸の間でないため、胸の谷間を遮蔽することがない。つまり、ネックラインの極めて深い（深いＶネック）服装を着用する際、インナーの露出を心配せず、二つの胸支持部１２、２２の間の窪み部４０に胸の谷間を強調することができる。一つは二つの第二固定部１６、２６が腹部に粘着して生じる掴み力の範囲が大きいため、胸部を引っ張る力が強い。つまり、ストラップレスブラ１はバストを寄せる効果が極めて良好である。一つは二つの第二固定部１６、２６の粘着範囲が大きいため、着用者が第二固定部１６、２６に引っ掛かってその一部分が剥がれてもストラップレスブラ１の全体の粘着性があまり落ちない。つまり、ストラップレスブラ１は緩くなって滑って落下することが起こりにくいだけでなく、長時間にわたって着用されても効果があまり落ちない。言い換えれば、深いＶネックの服装を着用する際、ストラップレスブラ１は長時間のバストアップ効果および豊胸効果を維持できる。
【００１６】
ブラジャー本体右側１０およびブラジャー本体左側２０は異なるカップの大きさによって厚みおよびサイズの設計が変わってもよいため、あらゆる着用者に適用できる。詳しく言えば、Ｍサイズのストラップレスブラ１のほかにＬサイズのストラップレスブラ１を製作することができる。Ｌサイズのストラップレスブラ１は胸がＣカップまたはＤカップまたはそれ以上の着用者に適用できる。図９および図１０に示すように、Ｌサイズのブラジャー本体右側１０において、彎曲部位１２３は一定の円弧度を有し、厚さＴ０が０．８ｍｍから０．９ｍｍであり、特に０．８ｍｍであれば最も好ましい。彎曲部位１２３は伸びる長さがＭサイズのブラジャー本体右側１０の彎曲部位１２３より大きい。パッド入り部位１２５は最も厚い箇所Ｔの厚さＴ１が１０ｍｍから１６ｍｍであり、特に１０．９ｍｍであれば最も好ましい。パッド入り部位１２５は最も厚い箇所Ｔの位置から上下および左右へ徐々に薄くなり、彎曲部位１２３と連結される箇所の厚さＴ２が０．８ｍｍから２．５ｍｍであり、特に１ｍｍであれば最も好ましい。ブラジャー本体右側１０はパッド入り部位１２５以外の部位の厚さＴ３が０．６ｍｍから２．５ｍｍであり、特に２ｍｍであれば最も好ましい。またＬサイズのブラジャー本体右側１０において、全体の長さＬ１は５７４ｍｍから５９４ｍｍであり、５９３．２ｍｍが最も好ましい。第一固定部１４の幅Ｗ１は５７ｍｍから８４ｍｍであり、６６ｍｍが最も好ましい。第二固定部１６の幅Ｗ２は５４ｍｍから８６ｍｍであり、７７．２ｍｍが最も好ましい。胸支持部１２の幅Ｗ３は７０ｍｍから１４１ｍｍであり、１４１ｍｍが最も好ましい。パッド入り部位１２５の長さＬ２は１３０ｍｍから１４０ｍｍであり、１３７．９ｍｍが最も好ましい。パッド入り部位１２５の幅Ｗ４は７０ｍｍから８５ｍｍであり、８４．２ｍｍが最も好ましい。Ｌサイズのブラジャー本体左側２０は厚さおよびサイズがＬサイズのブラジャー本体右側１０と同じであるため、説明を省略する。
【００１７】
ブラジャー本体右側１０およびブラジャー本体左側２０は厚みおよびサイズが上述に限定されず、別の実施形態において実際のニーズに応じて変わってもよい。例えば、ＳサイズまたはＸＬサイズのブラジャー本体右側１０およびブラジャー本体左側２０を製作し、厚さをサイズに応じて増減させることができる。つまり、ブラジャー本体右側１０およびブラジャー本体左側２０はカップサイズが異なる着用者に対応できる。設計および製作を行う際、各部位の寸法が増減すればストラップレスブラ１はカップサイズが異なるあらゆる着用者に適用できる。言い換えれば、パッド入り部位１２５、２２５の厚さ、長さおよび幅と、ブラジャー本体右側１０およびブラジャー本体左側２０の厚さおよび全体長さと、第一固定部１４、２４および第二固定部１６、２６の幅と、胸支持部１２、２２の幅などは本発明の実施形態に限定されず、実際のニーズに応じて変わってもよい。特にパッド入り部位１２５、２２５の厚さが大きければ大きいほど、バストアップ効果および視覚的な豊胸効果が著しくなる。パッド入り部位１２５、２２５の厚さが小さければ小さいほど、ストラップレスブラ１の重さおよび外観が小さくなり、着用際の負担が軽くなる。一方、パッド入り部位１２５、２２５およびパッド入り部位１２５、２２５のスリット１２６、２２６は上述に限定されず、実際のニーズに応じて配置されなくてもよい。彎曲部位１２３、２２３は一定の円弧度を有するが、これに限定されない。つまり、別の実施形態において、彎曲部位１２３、２２３は第一固定部１４、２４および第二固定部１６、２６と同じに水平に伸びる状態であってもよい。
【００１８】
本発明は上述した実施形態に限定されず、発明の趣旨を逸脱しない範囲において下記の形態でストラップレスブラ１の構造を変更することができる。
【００１９】
一つは、上述実施形態と比べて第一固定部１４、２４または第二固定部１６、２６の長さを人体躯幹の後側まで増大させ、図１１に示すようにその一端を人体躯幹の後側の皮膚に粘着させることである。上述した構造特徴により、ストラップレスブラ１は着用者に密着し、安定性を大幅に向上させることができる。一つは、第一固定部１４、２４の一端および第二固定部１６、２６の一端にホックを配置することである。上述した構造特徴により、第一固定部１４、２４または第二固定部１６、２６のホックに着脱が可能な肩紐またはベルトの両端を取り付けて肩紐またはベルトを人体躯幹の後側に位置させれば、第一固定部１４、２４または第二固定部１６、２６を連結してストラップレスブラ１の安定性を向上させることができる。或いは、ブラジャー本体右側１０の第一固定部１４および第二固定部１６またはブラジャー本体左側２０の第一固定部２４および第二固定部２６に肩紐またはベルトの両端を別々に取り付けて肩紐またはベルトを人体躯幹の後側に位置させれば、ブラジャー本体右側１０またはブラジャー本体左側２０を連結してストラップレスブラ１の安定性を向上させることができる。
【００２０】
（一実施形態）
図１２に示すように、本発明の別の一実施形態によるストラップレスブラ１'は一体成型され、ブラジャー本体右側１０およびブラジャー本体左側２０が相互に連結されて一体になる。ストラップレスブラ１'およびストラップレスブラ１は着用方法が同じである。
【００２１】
着用者はニーズまたは服装に合わせてブラジャー本体右側１０およびブラジャー本体左側２０のいずれか一つを使用することができる。言い換えれば、別の実施形態において、ストラップレスブラ１はブラジャー本体右側１０およびブラジャー本体左側２０のいずれか一つと、その内側に配置された粘着層３０とから構成されてもよい。
【００２２】
上述した説明および本発明により提示された実施形態は本発明を説明するための一例に過ぎず、本発明の請求範囲を限定できないことは、本発明にかかわる領域において常識がある人ならば理解できるはずである。また、本発明は発明の趣旨を逸脱しない範囲において種々の形態で実施可能である。
【符号の説明】
【００２３】
１、１'：ストラップレスブラ、  
１０：ブラジャー本体右側、  
１２：胸支持部、  
１２１：凹状円弧部位、  
１２３：彎曲部位、  
１２５：パッド入り部位、  
１２６：スリット、  
１４：第一固定部、  
１６：第二固定部、  
２０：ブラジャー本体左側、  
２２：胸支持部、  
２２１：凹状円弧部位、  
２２３：彎曲部位、  
２２５：パッド入り部位、  
２２６：スリット、  
２４：第一固定部、  
２６：第二固定部、  
３０：粘着層、  
４０：窪み部、  
Ｌ：仮想水平軸線、  
Ｌ１、Ｌ２：長さ、  
Ｓ：収容空間、  
Ｔ：最も厚い箇所、  
Ｔ０、Ｔ１、Ｔ２、Ｔ３：厚さ、  
Ｗ１、Ｗ２、Ｗ３、Ｗ４：幅
【図１】
2020056146.tif 000003
【図２】
2020056146.tif 000004
【図３】
2020056146.tif 000005
【図４】
2020056146.tif 000006
【図５】
2020056146.tif 000007
【図６】
2020056146.tif 000008
【図７】
2020056146.tif 000009
【図８】
2020056146.tif 000010
【図９】
2020056146.tif 000011
【図１０】
2020056146.tif 000012
【図１１】
2020056146.tif 000013
【図１２】
2020056146.tif 000014